(57)【要約】【課題】経済指標の注目区間に対して挙動が類似する類似区間についてのアナリストレポートを提示することができるアナリストレポート提示装置を提供する。【解決手段】時系列データ格納部２０６は、経済指標の時系列データを格納する。レポート格納部２０８は、経済指標及び日付に対応付けられ、当該日付を含む区間における経済指標について記載したアナリストレポートを格納する。注目区間入力部２０２は、時系列の注目区間を示す情報が入力される。類似区間検出部２０４は、時系列データ格納部２０６を参照し、上記注目区間における経済指標の時系列の挙動に類似する時系列の挙動を有する類似区間を検出する。レポート出力部２１０は、上記経済指標および類似区間に含まれる日付に対応付けられたアナリストレポートをレポート格納部２０８から読み出して表示装置２４に表示出力する。【選択図】図１
2005284829.tif 000002
【特許請求の範囲】
【請求項１】
経済指標の時系列データを格納する時系列データ格納部と、
前記経済指標および日付に対応付けられ、当該日付を含む区間における前記経済指標について記載したアナリストレポートの内容データを格納するレポート格納部と、
前記経済指標について注目すべき時系列の注目区間を示す情報が入力される注目区間入力部と、
前記時系列データ格納部に格納された前記時系列データに基づき、前記入力された前記注目区間における前記経済指標の時系列の挙動に類似する時系列の挙動を有する類似区間を検出する類似区間検出部と、
前記経済指標および前記類似区間に含まれる前記日付に対応付けられた前記アナリストレポートを前記レポート格納部から読み出して出力するレポート出力部と
を備えるアナリストレポート提示装置。
【請求項２】
複数の経済指標の時系列データを当該経済指標に対応付けて格納する時系列データ格納部と、
前記複数の経済指標の少なくとも何れか一つおよび日付に対応付けられ、当該日付を含む区間における前記少なくとも何れか一つの経済指標について記載したアナリストレポートの内容データを格納するレポート格納部と、
前記複数の経済指標の何れか一つについて、注目すべき時系列の注目区間および当該経済指標を示す情報が入力される注目区間入力部と、
前記時系列データ格納部に格納された前記複数の経済指標の時系列データに基づき、前記入力された前記注目区間における前記一つの経済指標の時系列の挙動に類似する他の前記経済指標の時系列の挙動を有する類似区間を検出する類似区間検出部と、
前記他の経済指標および前記類似区間に含まれる前記日付に対応付けられた前記アナリストレポートを前記レポート格納部から読み出して出力するレポート出力部と
を備えるアナリストレポート提示装置。
【請求項３】
複数の経済指標の時系列データを当該経済指標に対応付けて格納する時系列データ格納部と、
前記複数の経済指標の少なくとも何れか一つおよび日付に対応付けられ、当該日付を含む区間における前記少なくとも何れか一つの経済指標について記載したアナリストレポートの内容データとそのレポート名を示す情報を格納するレポート格納部と、
前記複数の経済指標の何れか一つについて、注目すべき時系列の注目区間および当該経済指標を示す情報が入力される注目区間入力部と、
前記時系列データ格納部に格納された前記複数の経済指標の時系列データに基づき、前記入力された前記注目区間における前記一つの経済指標の時系列の挙動に類似する時系列の挙動を有する類似区間および当該類似区間を有する経済指標を検出する類似区間検出部と、
前記検出された前記経済指標および前記類似区間に含まれる前記日付に対応付けられた前記アナリストレポートおよびそのレポート名を前記レポート格納部から読み出して表示装置に表示出力するレポート出力部と
を備え、
前記レポート出力部は、前記類似区間検出部で前記一つの経済指標を含む複数の経済指標が検出された場合に、当該複数の経済指標のうち前記一つの経済指標のレポート名と他の経済指標のレポート名を異なる表示形式で表示出力する
ことを特徴とするアナリストレポート提示装置。
【請求項４】
前記注目区間入力部は、注目すべき周期である注目周期を示す情報がさらに入力され、
前記類似区間検出部は、前記注目周期について類似する前記類似区間を検出する
請求項１〜３の何れかに記載のアナリストレポート提示装置。
【請求項５】
前記レポート格納部は、前記アナリストレポートで重視された周期である重視周期を示す情報にさらに対応付けて前記アナリストレポートの内容データを格納し、
前記レポート出力部は、前記類似区間に含まれる前記日付及び前記重視周期に対応付けられた前記アナリストレポートのうち、前記重視周期が前記注目周期と一致する前記アナリストレポートを抽出して出力する
請求項４に記載のアナリストレポート提示装置。
【請求項６】
前記レポート格納部は、前記アナリストレポートで重視された周期である重視周期を示す情報にさらに対応付けて前記アナリストレポートの内容データを格納し、
前記注目区間入力部は、注目すべき周期である注目周期を示す情報がさらに入力され、
前記レポート出力部は、前記類似区間に含まれる前記日付および前記重視周期に対応付けられた前記アナリストレポートのうち、前記重視周期が前記注目周期と一致する前記アナリストレポートを抽出して出力する
請求項１〜３の何れかに記載のアナリストレポート提示装置。
【請求項７】
コンピュータが経済指標の時系列データを時系列データ格納部に格納するステップと、
前記経済指標および日付に対応付けられ、当該日付を含む区間における前記経済指標について記載したアナリストレポートの内容データを、前記コンピュータがレポート格納部に格納するステップと、
前記経済指標について注目すべき時系列の注目区間が前記コンピュータに入力されるステップと、
前記時系列データ格納部に格納された前記時系列データに基づき、前記入力された前記注目区間における前記経済指標の時系列の挙動に類似する時系列の挙動を有する類似区間を前記コンピュータが検出するステップと、
前記経済指標および前記類似区間に含まれる前記日付に対応付けられた前記アナリストレポートを前記コンピュータが前記レポート格納部から読み出して出力するステップと
を有するアナリストレポート提示方法。
【請求項８】
コンピュータが複数の経済指標の時系列データを当該経済指標に対応付けて時系列データ格納部に格納するステップと、
前記複数の経済指標の少なくとも何れか一つおよび日付に対応付けられ、当該日付を含む区間における前記少なくとも何れか一つの経済指標について記載したアナリストレポートの内容データを、前記コンピュータがレポート格納部に格納するステップと、
前記複数の経済指標の何れか一つについて、注目すべき時系列の注目区間および当該経済指標を示す情報が前記コンピュータに入力されるステップと、
前記時系列データ格納部に格納された前記複数の経済指標の時系列データに基づき、前記入力された前記注目区間における前記一つの経済指標の時系列の挙動に類似する他の前記経済指標の時系列の挙動を有する類似区間を前記コンピュータが検出するステップと、
前記他の経済指標および前記類似区間に含まれる前記日付に対応付けられた前記アナリストレポートを前記コンピュータが前記レポート格納部から読み出して出力するステップと
を有するアナリストレポート提示方法。
【請求項９】
コンピュータが複数の経済指標の時系列データを当該経済指標に対応付けて時系列データ格納部に格納するステップと、
前記複数の経済指標の少なくとも何れか一つおよび日付に対応付けられ、当該日付を含む区間における前記少なくとも何れか一つの経済指標について記載したアナリストレポートの内容データとそのレポート名を示す情報を、前記コンピュータがレポート格納部に格納するステップと、
前記複数の経済指標の何れか一つについて、注目すべき時系列の注目区間および当該経済指標を示す情報が前記コンピュータに入力されるステップと、
前記時系列データ格納部に格納された前記複数の経済指標の時系列データに基づき、前記入力された前記注目区間における前記一つの経済指標の時系列の挙動に類似する時系列の挙動を有する類似区間および当該類似区間を有する経済指標を前記コンピュータが検出するステップと、
前記検出された前記経済指標および前記類似区間に含まれる前記日付に対応付けられた前記アナリストレポートおよびそのレポート名を前記コンピュータが前記レポート格納部から読み出して表示装置に表示出力するステップと
を備え、
前記表示装置に表示出力するステップにおいて、前記コンピュータは、前記検出するステップで前記一つの経済指標を含む複数の経済指標が検出された場合に、当該複数の経済指標のうち前記一つの経済指標のレポート名と他の経済指標のレポート名を異なる表示形式で表示出力する
ことを特徴とするアナリストレポート提示方法。
【請求項１０】
コンピュータに、
経済指標の時系列データを時系列データ格納部に格納する時系列データ格納機能、
前記経済指標および日付に対応付けられ、当該日付を含む区間における前記経済指標について記載したアナリストレポートの内容データをレポート格納部に格納するレポート格納機能、
前記経済指標について注目すべき時系列の注目区間を示す情報が入力される注目区間入力機能、
前記時系列データ格納部に格納された前記時系列データに基づき、前記入力された前記注目区間における前記経済指標の時系列の挙動に類似する時系列の挙動を有する類似区間を検出する類似区間検出機能、並びに
前記経済指標および前記類似区間に含まれる前記日付に対応付けられた前記アナリストレポートを前記レポート格納部から読み出して出力するレポート出力機能
を実現させるプログラム。
【請求項１１】
コンピュータに、
複数の経済指標の時系列データを当該経済指標に対応付けて時系列データ格納部に格納する時系列データ格納機能、
前記複数の経済指標の少なくとも何れか一つおよび日付に対応付けられ、当該日付を含む区間における前記少なくとも何れか一つの経済指標について記載したアナリストレポートの内容データをレポート格納部に格納するレポート格納機能、
前記複数の経済指標の何れか一つについて、注目すべき時系列の注目区間および当該経済指標を示す情報が入力される注目区間入力機能、
前記時系列データ格納部に格納された前記複数の経済指標の時系列データに基づき、前記入力された前記注目区間における前記一つの経済指標の時系列の挙動に類似する他の前記経済指標の時系列の挙動を有する類似区間を検出する類似区間検出機能、並びに
前記他の経済指標および前記類似区間に含まれる前記日付に対応付けられた前記アナリストレポートを前記レポート格納部から読み出して出力するレポート出力機能
を実現させるプログラム。
【請求項１２】
コンピュータに、
複数の経済指標の時系列データを当該経済指標に対応付けて時系列データ格納部に格納する時系列データ格納機能、
前記複数の経済指標の少なくとも何れか一つおよび日付に対応付けられ、当該日付を含む区間における前記少なくとも何れか一つの経済指標について記載したアナリストレポートの内容データとそのレポート名を示す情報をレポート格納部に格納するレポート格納機能、
前記複数の経済指標の何れか一つについて、注目すべき時系列の注目区間および当該経済指標を示す情報が入力される注目区間入力機能、
前記時系列データ格納部に格納された前記複数の経済指標の時系列データに基づき、前記入力された前記注目区間における前記一つの経済指標の時系列の挙動に類似する時系列の挙動を有する類似区間および当該類似区間を有する経済指標を検出する類似区間検出機能、並びに、
前記検出された前記経済指標および前記類似区間に含まれる前記日付に対応付けられた前記アナリストレポートおよびそのレポート名を前記レポート格納部から読み出して表示装置に表示出力するレポート出力機能
を実現させるプログラムであって、
前記表示装置に表示出力するレポート出力機能では、前記類似区間検出機能で前記一つの経済指標を含む複数の経済指標が検出された場合に、当該複数の経済指標のうち前記一つの経済指標のレポート名と他の経済指標のレポート名を異なる表示形式で表示出力する
ことを特徴とするプログラム。
【発明の詳細な説明】
【技術分野】
【０００１】
本発明は、アナリストレポートを提示するアナリストレポート提示装置、アナリストレポート提示方法、およびプログラムに関する。
【背景技術】
【０００２】
従来、特定の注目している区間において、分析の対象とする企業における株価の時系列の挙動が、同一または他の企業における株価の時系列の挙動に類似しているか否かを判定する株価パターン認識装置が知られている（例えば、特許文献１参照）。
また、株価や為替などの時系列データについて、与えられた時系列データに対してそれと同様なパターンをもつ時系列データを大量の時系列データの中から検索する時系列データ検索方法が知られている（例えば、特許文献２参照）。
また、一連の時系列データから特定の変動パターンに類似したパターンの区間を検索する時系列パターン検索装置が知られている（例えば、特許文献３参照）。
【特許文献１】特許第３２８８０３９号公報
【特許文献２】特開平５−２０４９９１号公報
【特許文献３】特開平６−３１４３０２号公報
【発明の開示】
【発明が解決しようとする課題】
【０００３】
証券アナリストなどの投資に関する専門家は、企業の株価などの、経済指標の時系列の挙動を分析して、当該経済指標の挙動についてのアナリストレポートを作成し、投資家に役立つような助言・勧告を行う。この場合、分析の対象とする経済指標において、分析の対象とする時系列の挙動に類似する挙動をした過去の区間、または、他の経済指標において類似する挙動を有する区間、における挙動を分析したアナリストレポートが参考となる場合が多い。しかしながら、上記株価パターン認識装置は、類似する区間を判定するものであるため、その判定の後に、類似と判定された区間について分析されたアナリストレポートを改めて検索するのに時間と手間を要していた。
【０００４】
そこで本発明は、上記の課題を解決することができるアナリストレポート提示装置、アナリストレポート提示方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態によると、アナリストレポート提示装置は、経済指標の時系列データを格納する時系列データ格納部と、経済指標および日付に対応付けられ、当該日付を含む区間における経済指標について記載したアナリストレポートの内容データを格納するレポート格納部と、経済指標について注目すべき時系列の注目区間を示す情報が入力される注目区間入力部と、時系列データ格納部に格納された時系列データに基づき、上記入力された注目区間における経済指標の時系列の挙動に類似する時系列の挙動を有する類似区間を検出する類似区間検出部と、経済指標および類似区間に含まれる日付に対応付けられたアナリストレポートをレポート格納部から読み出して出力するレポート出力部とを備える。
例えば、アナリストレポート提示装置は、経済指標の時系列データを当該経済指標の識別情報に対応付けて格納する時系列データ格納部と、経済指標の識別情報および日付を示す情報に対応付けられ、当該日付を含む区間における経済指標について記載したアナリストレポートの内容データを格納するレポート格納部と、経済指標について注目すべき時系列の注目区間を示す情報および当該経済指標の識別情報が入力装置に入力され、この入力装置に入力された注目区間を示す情報および経済指標の識別情報を受け取る注目区間入力部と、時系列データ格納部に格納された時系列データに基づき、上記受け取った注目区間における経済指標の時系列の挙動に類似する時系列の挙動を有する類似区間とその経済指標の識別情報を検出する類似区間検出部と、この類似区間検出部が検出した経済指標および類似区間に含まれる日付に対応付けられたアナリストレポートをレポート格納部から読み出して出力装置に出力するレポート出力部とを備える構成としてもよい。
【０００６】
注目区間入力部は、注目すべき周期である注目周期を示す情報がさらに入力され、類似区間検出部は、注目周期について類似する類似区間を検出してもよい。この場合、レポート格納部は、アナリストレポートで重視された周期である重視周期を示す情報にさらに対応付けてアナリストレポートの内容データを格納し、レポート出力部は、類似区間に含まれる日付および重視周期に対応付けられたアナリストレポートのうち、重視周期が注目周期と一致するアナリストレポートを抽出して出力してもよい。
例えば、注目区間入力部は、注目すべき周期である注目周期を示す情報が入力装置にさらに入力され、この入力装置に入力された注目周期を示す情報をさらに受け取り、類似区間検出部は、注目区間入力部が受け取った注目周期について類似する類似区間を検出する構成としてもよい。この場合、レポート格納部は、アナリストレポート作成者がアナリストレポートの作成時に重視した周期である重視周期を示す情報にさらに対応付けてアナリストレポートの内容データを格納し、レポート出力部は、類似区間に含まれる日付および重視周期を示す情報に対応付けられたアナリストレポートのうち、重視周期が注目周期と一致するアナリストレポートを抽出して出力装置に出力する構成としてもよい。
【０００７】
また、レポート格納部は、アナリストレポートで重視された周期である重視周期を示す情報にさらに対応付けてアナリストレポートの内容データを格納し、注目区間入力部は、注目すべき周期である注目周期を示す情報がさらに入力され、レポート出力部は、類似区間に含まれる日付および重視周期に対応付けられたアナリストレポートのうち、重視周期が注目周期と一致するアナリストレポートを抽出して出力してもよい。
例えば、レポート格納部は、アナリストレポート作成者がアナリストレポートの作成時に重視した周期である重視周期を示す情報にさらに対応付けてアナリストレポートの内容データを格納し、注目区間入力部は、注目すべき周期である注目周期を示す情報が入力装置にさらに入力され、この入力装置に入力された注目周期を示す情報をさらに受け取り、レポート出力部は、類似区間に含まれる日付および重視周期を示す情報に対応付けられたアナリストレポートのうち、重視周期が注目周期と一致するアナリストレポートを抽出して出力装置に出力する構成としてもよい。
【０００８】
本発明の第２の形態によると、アナリストレポート提示装置は、複数の経済指標の時系列データを当該経済指標に対応付けて格納する時系列データ格納部と、上記複数の経済指標の少なくとも何れか一つおよび日付に対応付けられ、当該日付を含む区間における少なくとも何れか一つの経済指標について記載したアナリストレポートの内容データを格納するレポート格納部と、複数の経済指標の何れか一つについて、注目すべき時系列の注目区間および当該経済指標が入力される注目区間入力部と、時系列データ格納部に格納された複数の経済指標の時系列データに基づき、上記入力された注目区間における上記一つの経済指標の時系列の挙動に類似する他の経済指標の時系列の挙動を有する類似区間を検出する類似区間検出部と、他の経済指標および類似区間に含まれる日付に対応付けられたアナリストレポートをレポート格納部から読み出して出力するレポート出力部とを備える。
例えば、アナリストレポート提示装置は、複数の経済指標の時系列データを当該経済指標を示す識別情報に対応付けて格納する時系列データ格納部と、複数の経済指標の少なくとも何れか一つおよび日付を示す情報に対応付けられ、当該日付を含む区間における少なくとも何れか一つの経済指標について記載したアナリストレポートの内容データを格納するレポート格納部と、上記複数の経済指標の何れか一つについて、注目すべき時系列の注目区間を示す情報および当該経済指標の識別情報が入力装置に入力され、この入力装置に入力された注目区間を示す情報および経済指標の識別情報を受け取る注目区間入力部と、時系列データ格納部に格納された複数の経済指標の時系列データに基づき、上記受け取った注目区間における上記一つの経済指標の時系列の挙動に類似する他の経済指標の時系列の挙動を有する類似区間および当該他の経済指標の識別情報を検出する類似区間検出部と、この類似区間検出部が検出した他の経済指標および類似区間に含まれる日付に対応付けられたアナリストレポートをレポート格納部から読み出して出力装置に出力するレポート出力部とを備える構成としてもよい。
【０００９】
注目区間入力部は、注目すべき周期である注目周期を示す情報がさらに入力され、類似区間検出部は、注目周期について類似する類似区間を検出してもよい。この場合、レポート格納部は、アナリストレポートで重視された周期である重視周期を示す情報にさらに対応付けてアナリストレポートの内容データを格納し、レポート出力部は、類似区間に含まれる日付に対応付けられたアナリストレポートのうち、さらに重視周期が注目周期と一致するアナリストレポートを抽出して出力してもよい。
例えば、注目区間入力部は、注目すべき周期である注目周期を示す情報が入力装置にさらに入力され、この入力装置に入力された注目周期を示す情報をさらに受け取り、類似区間検出部は、注目区間入力部が受け取った注目周期について類似する類似区間を検出する構成としてもよい。この場合、レポート格納部は、アナリストレポート作成者がアナリストレポートの作成時に重視した周期である重視周期を示す情報にさらに対応付けてアナリストレポートの内容データを格納し、レポート出力部は、類似区間に含まれる日付および重視周期を示す情報に対応付けられたアナリストレポートのうち、重視周期が注目周期と一致するアナリストレポートを抽出して出力装置に出力する構成としてもよい。
【００１０】
また、レポート格納部は、アナリストレポートで重視された周期である重視周期にさらに対応付けてアナリストレポートの内容データを格納し、注目区間入力部は、注目すべき周期である注目周期を示す情報が入力され、レポート出力部は、類似区間に含まれる日付に対応付けられたアナリストレポートのうち、さらに重視周期が注目周期と一致するアナリストレポートを抽出して出力してもよい。
例えば、レポート格納部は、アナリストレポート作成者がアナリストレポートの作成時に重視した周期である重視周期を示す情報にさらに対応付けてアナリストレポートの内容データを格納し、注目区間入力部は、注目すべき周期である注目周期を示す情報が入力装置にさらに入力され、この入力装置に入力された注目周期を示す情報をさらに受け取り、レポート出力部は、類似区間に含まれる日付および重視周期を示す情報に対応付けられたアナリストレポートのうち、重視周期が注目周期と一致するアナリストレポートを抽出して出力装置に出力する構成としてもよい。
【００１１】
本発明の第３の形態によると、アナリストレポート提示装置は、複数の経済指標の時系列データを当該経済指標に対応付けて格納する時系列データ格納部と、上記複数の経済指標の少なくとも何れか一つおよび日付に対応付けられ、当該日付を含む区間における少なくとも何れか一つの経済指標について記載したアナリストレポートの内容データとそのレポート名を示す情報を格納するレポート格納部と、上記複数の経済指標の何れか一つについて、注目すべき時系列の注目区間および当該経済指標を示す情報が入力される注目区間入力部と、時系列データ格納部に格納された複数の経済指標の時系列データに基づき、入力された注目区間における上記一つの経済指標の時系列の挙動に類似する時系列の挙動を有する類似区間および当該類似区間を有する経済指標を検出する類似区間検出部と、検出された経済指標および類似区間に含まれる日付に対応付けられたアナリストレポートおよびそのレポート名をレポート格納部から読み出して表示装置に表示出力するレポート出力部とを備え、レポート出力部は、類似区間検出部で上記一つの経済指標を含む複数の経済指標が検出された場合に、当該複数の経済指標のうち上記一つの経済指標のレポート名と他の経済指標のレポート名を異なる表示形式で表示出力することを特徴とする。
例えば、アナリストレポート提示装置は、複数の経済指標の時系列データを当該経済指標を示す識別情報に対応付けて格納する時系列データ格納部と、上記複数の経済指標の少なくとも何れか一つおよび日付を示す情報に対応付けられ、当該日付を含む区間における少なくとも何れか一つの経済指標について記載したアナリストレポートの内容データとそのレポート名を示す情報を格納するレポート格納部と、上記複数の経済指標の何れか一つについて、注目すべき時系列の注目区間を示す情報および当該経済指標の識別情報が入力装置に入力され、この入力装置に入力された注目区間を示す情報および経済指標の識別情報を受け取る注目区間入力部と、時系列データ格納部に格納された複数の経済指標の時系列データに基づき、上記受け取った注目区間における上記一つの経済指標の時系列の挙動に類似する時系列の挙動を有する類似区間および当該類似区間を有する経済指標の識別情報を検出する類似区間検出部と、この類似区間検出部が検出した経済指標および類似区間に含まれる日付に対応付けられたアナリストレポートおよびそのレポート名をレポート格納部から読み出して表示装置に表示出力するレポート出力部とを備え、レポート出力部は、類似区間検出部で上記一つの経済指標を含む複数の経済指標の識別情報が検出された場合に、当該複数の経済指標のうち上記一つの経済指標のレポート名と他の経済指標のレポート名を異なる表示形式で表示出力する構成としてもよい。
【００１２】
本発明の第４の形態によると、アナリストレポート提示方法は、コンピュータが経済指標の時系列データを時系列データ格納部に格納するステップと、経済指標および日付に対応付けられ、当該日付を含む区間における経済指標について記載したアナリストレポートの内容データをコンピュータがレポート格納部に格納するステップと、経済指標について注目すべき時系列の注目区間を示す情報がコンピュータに入力されるステップと、時系列データ格納部に格納された時系列データに基づき、上記入力された注目区間における経済指標の時系列の挙動に類似する時系列の挙動を有する類似区間をコンピュータが検出するステップと、経済指標および類似区間に含まれる日付に対応付けられたアナリストレポートをコンピュータがレポート格納部から読み出して出力するステップとを有する。
例えば、アナリストレポート提示方法は、コンピュータが経済指標の時系列データを当該経済指標を示す識別情報に対応付けて時系列データ格納部に格納するステップと、経済指標の識別情報および日付を示す情報に対応付けられ、当該日付を含む区間における経済指標について記載したアナリストレポートの内容データをコンピュータがレポート格納部に格納するステップと、経済指標について注目すべき時系列の注目区間を示す情報および当該経済指標の識別情報が入力装置に入力され、この入力装置に入力された注目区間を示す情報および経済指標の識別情報をコンピュータが受け取るステップと、時系列データ格納部に格納された時系列データに基づき、上記受け取った注目区間における経済指標の時系列の挙動に類似する時系列の挙動を有する類似区間およびその経済指標の識別情報をコンピュータが検出するステップと、上記検出された経済指標および類似区間に含まれる日付を示す情報に対応付けられたアナリストレポートをコンピュータがレポート格納部から読み出して出力装置に出力するステップとを有する構成としてもよい。
【００１３】
本発明の第５の形態によると、アナリストレポート提示方法は、コンピュータが複数の経済指標の時系列データを当該経済指標に対応付けて時系列データ格納部に格納するステップと、複数の経済指標の少なくとも何れか一つおよび日付に対応付けられ、当該日付を含む区間における少なくとも何れか一つの経済指標について記載したアナリストレポートの内容データをコンピュータがレポート格納部に格納するステップと、複数の経済指標の何れか一つについて、注目すべき時系列の注目区間を示す情報がコンピュータに入力されるステップと、時系列データ格納部に格納された時系列データに基づき、上記入力された注目区間における上記一つの経済指標の時系列の挙動に類似する他の経済指標の時系列の挙動を有する類似区間をコンピュータが検出するステップと、当該他の経済指標および類似区間に含まれる日付に対応付けられたアナリストレポートをコンピュータがレポート格納部から読み出して出力するステップとを有する。
例えば、アナリストレポート提示方法は、コンピュータが複数の経済指標の時系列データを当該経済指標を示す識別情報に対応付けて時系列データ格納部に格納するステップと、複数の経済指標の少なくとも何れか一つおよび日付を示す情報に対応付けられ、当該日付を含む区間における少なくとも何れか一つの経済指標について記載したアナリストレポートの内容データをコンピュータがレポート格納部に格納するステップと、複数の経済指標の何れか一つについて、注目すべき時系列の注目区間を示す情報および当該経済指標の識別情報が入力装置に入力され、この入力装置に入力された注目区間を示す情報および経済指標の識別情報をコンピュータが受け取るステップと、時系列データ格納部に格納された複数の経済指標の時系列データに基づき、上記受け取った注目区間における上記一つの経済指標の時系列の挙動に類似する他の経済指標の時系列の挙動を有する類似区間と当該他の経済指標の識別情報をコンピュータが検出するステップと、上記検出された当該他の経済指標および類似区間に含まれる日付を示す情報に対応付けられたアナリストレポートをコンピュータがレポート格納部から読み出して出力装置に出力するステップとを有する構成としてもよい。
【００１４】
本発明の第６の形態によると、アナリストレポート提示方法は、コンピュータが複数の経済指標の時系列データを当該経済指標に対応付けて時系列データ格納部に格納するステップと、上記複数の経済指標の少なくとも何れか一つおよび日付に対応付けられ、当該日付を含む区間における少なくとも何れか一つの経済指標について記載したアナリストレポートの内容データとそのレポート名を示す情報を、コンピュータがレポート格納部に格納するステップと、上記複数の経済指標の何れか一つについて、注目すべき時系列の注目区間および当該経済指標を示す情報がコンピュータに入力されるステップと、時系列データ格納部に格納された複数の経済指標の時系列データに基づき、上記入力された注目区間における上記一つの経済指標の時系列の挙動に類似する時系列の挙動を有する類似区間および当該類似区間を有する経済指標をコンピュータが検出するステップと、検出された経済指標および類似区間に含まれる日付に対応付けられたアナリストレポートおよびそのレポート名をコンピュータがレポート格納部から読み出して表示装置に表示出力するステップとを備え、上記表示装置に表示出力するステップにおいて、コンピュータは、上記検出するステップで上記一つの経済指標を含む複数の経済指標が検出された場合に、当該複数の経済指標のうち上記一つの経済指標のレポート名と他の経済指標のレポート名を異なる表示形式で表示出力することを特徴とする。
例えば、アナリストレポート提示方法は、コンピュータが複数の経済指標の時系列データを当該経済指標を示す識別情報に対応付けて時系列データ格納部に格納するステップと、上記複数の経済指標の少なくとも何れか一つおよび日付を示す情報に対応付けられ、当該日付を含む区間における少なくとも何れか一つの経済指標について記載したアナリストレポートの内容データとそのレポート名を示す情報を、コンピュータがレポート格納部に格納するステップと、上記複数の経済指標の何れか一つについて、注目すべき時系列の注目区間を示す情報および当該経済指標の識別情報が入力装置に入力され、この入力装置に入力された注目区間を示す情報および経済指標の識別情報をコンピュータが受け取るステップと、時系列データ格納部に格納された複数の経済指標の時系列データに基づき、上記受け取った注目区間における上記一つの経済指標の時系列の挙動に類似する時系列の挙動を有する類似区間および当該類似区間を有する経済指標の識別情報をコンピュータが検出するステップと、検出された経済指標および類似区間に含まれる日付に対応付けられたアナリストレポートおよびそのレポート名をコンピュータがレポート格納部から読み出して表示装置に表示出力するステップとを備え、上記表示装置に表示出力するステップにおいて、コンピュータは、上記検出するステップで上記一つの経済指標を含む複数の経済指標の識別情報が検出された場合に、当該複数の経済指標のうち上記一つの経済指標のレポート名と他の経済指標のレポート名を異なる表示形式で表示出力する構成としてもよい。
【００１５】
本発明の第７の形態によると、プログラムは、コンピュータに、経済指標の時系列データを時系列データ格納部に格納する時系列データ格納機能、経済指標および日付に対応付けられ、当該日付を含む区間における経済指標について記載したアナリストレポートの内容データをレポート格納部に格納するレポート格納機能、経済指標について注目すべき時系列の注目区間を示す情報が入力される注目区間入力機能、時系列データ格納部に格納された時系列データに基づき、上記入力された注目区間における経済指標の時系列の挙動に類似する時系列の挙動を有する類似区間を検出する類似区間検出機能、並びに、経済指標および類似区間に含まれる日付に対応付けられたアナリストレポートをレポート格納部から読み出して出力するレポート出力機能を実現させる。
例えば、プログラムは、コンピュータに、経済指標の時系列データを当該経済指標を示す識別情報に対応付けて時系列データ格納部に格納する時系列データ格納機能、経済指標の識別情報および日付を示す情報に対応付けられ、当該日付を含む区間における経済指標について記載したアナリストレポートの内容データをレポート格納部に格納するレポート格納機能、経済指標について注目すべき時系列の注目区間を示す情報および当該経済指標の識別情報が入力装置に入力され、この入力装置に入力された注目区間を示す情報および経済指標の識別情報を受け取る注目区間入力機能、時系列データ格納部に格納された時系列データに基づき、上記受け取った注目区間における経済指標の時系列の挙動に類似する時系列の挙動を有する類似区間および当該経済指標の識別情報を検出する類似区間検出機能、並びに、検出された経済指標および類似区間に含まれる日付を示す情報に対応付けられたアナリストレポートをレポート格納部から読み出して出力装置に出力するレポート出力機能を実現させるようにしてもよい。
【００１６】
本発明の第８の形態によると、プログラムは、コンピュータに、複数の経済指標の時系列データを当該経済指標に対応付けて時系列データ格納部に格納する時系列データ格納機能、上記複数の経済指標の少なくとも何れか一つおよび日付に対応付けられ、当該日付を含む区間における少なくとも何れか一つの経済指標について記載したアナリストレポートの内容データをレポート格納部に格納するレポート格納機能、上記複数の経済指標の何れか一つについて、注目すべき時系列の注目区間を示す情報が入力される注目区間入力機能、時系列データ格納部に格納された時系列データに基づき、上記入力された注目区間における上記一つの経済指標の時系列の挙動に類似する他の経済指標の時系列の挙動を有する類似区間を検出する類似区間検出機能、並びに、他の経済指標および類似区間に含まれる日付に対応付けられたアナリストレポートをレポート格納部から読み出して出力するレポート出力機能を実現させる。
例えば、プログラムは、コンピュータに、複数の経済指標の時系列データを当該経済指標を示す識別情報に対応付けて時系列データ格納部に格納する時系列データ格納機能、上記複数の経済指標の少なくとも何れか一つおよび日付を示す情報に対応付けられ、当該日付を含む区間における少なくとも何れか一つの経済指標について記載したアナリストレポートの内容データをレポート格納部に格納するレポート格納機能、上記複数の経済指標の何れか一つについて、注目すべき時系列の注目区間を示す情報および当該経済指標の識別情報が入力装置に入力され、この入力装置に入力された注目区間を示す情報および経済指標の識別情報を受け取る注目区間入力機能、時系列データ格納部に格納された複数の経済指標の時系列データに基づき、上記受け取った注目区間における上記一つの経済指標の時系列の挙動に類似する他の経済指標の時系列の挙動を有する類似区間および当該他の経済指標の識別情報を検出する類似区間検出機能、並びに、検出された当該他の経済指標および類似区間に含まれる日付を示す情報に対応付けられたアナリストレポートをレポート格納部から読み出して出力装置に出力するレポート出力機能を実現させるようにしてもよい。
【００１７】
本発明の第９の形態によると、プログラムは、コンピュータに、複数の経済指標の時系列データを当該経済指標に対応付けて時系列データ格納部に格納する時系列データ格納機能、上記複数の経済指標の少なくとも何れか一つおよび日付に対応付けられ、当該日付を含む区間における少なくとも何れか一つの経済指標について記載したアナリストレポートの内容データとそのレポート名を示す情報をレポート格納部に格納するレポート格納機能、上記複数の経済指標の何れか一つについて、注目すべき時系列の注目区間および当該経済指標を示す情報が入力される注目区間入力機能、時系列データ格納部に格納された上記複数の経済指標の時系列データに基づき、上記入力された注目区間における上記一つの経済指標の時系列の挙動に類似する時系列の挙動を有する類似区間および当該類似区間を有する経済指標を検出する類似区間検出機能、並びに、検出された経済指標および類似区間に含まれる日付に対応付けられたアナリストレポートおよびそのレポート名をレポート格納部から読み出して表示装置に表示出力するレポート出力機能を実現させるプログラムであって、上記表示装置に表示出力するレポート出力機能では、上記類似区間検出機能で上記一つの経済指標を含む複数の経済指標が検出された場合に、当該複数の経済指標のうち上記一つの経済指標のレポート名と他の経済指標のレポート名を異なる表示形式で表示出力することを特徴とするプログラムである。
例えば、プログラムは、コンピュータに、複数の経済指標の時系列データを当該経済指標を示す識別情報に対応付けて時系列データ格納部に格納する時系列データ格納機能、上記複数の経済指標の少なくとも何れか一つおよび日付を示す情報に対応付けられ、当該日付を含む区間における少なくとも何れか一つの経済指標について記載したアナリストレポートの内容データとそのレポート名を示す情報をレポート格納部に格納するレポート格納機能、上記複数の経済指標の何れか一つについて、注目すべき時系列の注目区間を示す情報および当該経済指標の識別情報が入力装置に入力され、この入力装置に入力された注目区間を示す情報および経済指標の識別情報を受け取る注目区間入力機能、時系列データ格納部に格納された上記複数の経済指標の時系列データに基づき、上記受け取った注目区間における上記一つの経済指標の時系列の挙動に類似する時系列の挙動を有する類似区間および当該類似区間を有する経済指標の識別情報を検出する類似区間検出機能、並びに、検出された経済指標および類似区間に含まれる日付に対応付けられたアナリストレポートおよびそのレポート名をレポート格納部から読み出して表示装置に表示出力するレポート出力機能を実現させるプログラムであって、上記表示装置に表示出力するレポート出力機能では、上記類似区間検出機能で上記一つの経済指標を含む複数の経済指標の識別情報が検出された場合に、当該複数の経済指標のうち上記一つの経済指標のレポート名と他の経済指標のレポート名を異なる表示形式で表示出力する構成としてもよい。
【００１８】
なお、上記の発明の概要は、本発明の必要な特徴の全てを列挙したものではなく、これらの特徴群のサブコンビネーションもまた発明となり得る。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１は、本発明の一実施形態に係るアナリストレポート提示装置１０の構成を示す。本実施形態のアナリストレポート提示装置１０は、ある経済指標について注目している注目区間に類似する挙動を示す区間を検出し、検出された区間について作成されたアナリストレポートを出力することにより、当該注目区間における挙動の解析を行うアナリストの分析およびレポート作成を支援することができるものである。このようにアナリストレポート提示装置１０のユーザの一例としては、このアナリストレポート提示装置１０を利用してアナリストレポートを作成する証券アナリストとしてもよい。なお、経済指標とは、例えば株価や、複数の企業の株価を平均化した平均株価、為替相場、景気動向指数、失業率等である。
【００２１】
アナリストレポート提示装置１０は、提示装置本体２０と、入力装置２２と、表示装置２４を備える。入力装置２２は、提示装置本体２０へ入力すべきデータがユーザによって入力され、例えばマウス等のポインティングデバイスやキーボード等であり、キーボードやポインティングデバイスを用いて表示装置２４の各種表示ボタンのクリックができるようになっている。表示装置２４は、例えば液晶ディスプレイやＣＲＴ等であり、入力装置２２に入力すべきデータをユーザに案内する入力画面や、ユーザが入力装置２２に入力した入力情報や、提示装置本体２０が抽出したアナリストレポート等を表示する。
【００２２】
提示装置本体２０は、注目区間入力部２０２と、類似区間検出部２０４と、時系列データ格納部２０６と、レポート格納部２０８と、レポート出力部２１０を備える。時系列データ格納部２０６は、複数の経済指標の時系列データを当該経済指標の識別情報に対応付けて格納するものであり、表示装置２４、注目区間入力部２０２、類似区間検出部２０４、およびレポート出力部２１０から適宜アクセスできるようになっている。レポート格納部２０８は、上記複数の経済指標の少なくとも何れか一つの経済指標を示す識別情報および日付を示す情報に対応付けられ、当該日付を含む区間における上記少なくとも何れか一つの経済指標について記載したアナリストレポートの内容データを格納する。
【００２３】
注目区間入力部２０２は、ユーザが入力装置２２に入力すべきデータをユーザに案内する入力画面を表示装置２４に表示させる。また、注目区間入力部２０２は、複数の経済指標のいずれか一つについて、注目すべき時系列の注目区間を示す情報および当該一つの経済指標の識別情報を、入力装置２２を介して受け取り、受け取った情報を類似区間検出部２０４へ提供する。類似区間検出部２０４は、時系列データ格納部２０６に格納された時系列データに基づき、上記受け取った注目区間における一つの経済指標の時系列の挙動に類似する他の経済指標の時系列の挙動を有する類似区間および当該他の経済指標の識別情報を検出する。レポート出力部２１０は、類似区間検出部２０４が検出した他の経済指標および類似区間に含まれる日付を示す情報に対応付けられたアナリストレポートの内容データをレポート格納部２０８から読み出して表示装置２４に表示させる。なお、類似区間検出部２０４が類似区間等を検出する処理動作例については、図６以降の図面を参照して後述する。
【００２４】
記録媒体２６は、提示装置本体２０を、注目区間入力部２０２、類似区間検出部２０４、時系列データ格納部２０６、レポート格納部２０８、およびレポート出力部２１０として機能させるコンピュータ・プログラムを格納する。記録媒体２６は、例えばＤＶＤ、ＰＤ等の光学記録媒体、ＭＤ等の光磁気記録媒体、テープ媒体、又は磁気記録媒体等であってよい。アナリストレポート提示装置１０は、これらのプログラムを記録媒体２６から読み取ってコンピュータにより実行する。なお、アナリストレポート提示装置１０は、例えばインターネット網等の通信回線を介してこれらのプログラムを取得して実行する構成としてもよく、記録媒体２６のプログラムをインストールしてプログラムを実行する構成としてもよい。
【００２５】
図２は、時系列データ格納部２０６に格納されたデータの構造の一例を示す。時系列データ格納部２０６は、複数の経済指標のそれぞれが示す数値と、それぞれの数値が発表された日付とを、複数の経済指標のそれぞれに対応付けて格納している。本例において、企業Ｘの株価、平均株価、および為替レートは、１日間の平均値を示しているが１日の終値を用いてもよい。時系列データ格納部２０６を参照することにより、それぞれの経済指標の時系列の挙動を知ることができる。例えば時系列データ格納部２０６をデータテーブルとし、経済指標毎にレコードを割り当てることで、企業Ｘの株価、平均株価、為替レート、失業率等に対してレコードを割り当て、レコード毎に経済指標の識別情報を格納する経済指標フィールド、区間フィールド、数値フィールド等を有し、区間フィールドと数値フィールドが対応付けされた構成としてもよい。
【００２６】
本例の時系列データ格納部２０６では、第１レコードにおいて、経済指標フィールドには「企業Ｘの株価」を示す識別情報が格納されており、第１の区間フィールドには２００４年２月２日を示す日付情報または区間情報が格納されており、この第１の区間フィールドに対応する第１の数値フィールドには２００４年２月２日の株価である１６３０円を示す株価情報が格納されており、第２の区間フィールドには２００４年２月３日を示す日付情報または区間情報が格納されており、この第２の区間フィールドに対応する第２の数値フィールドには２００４年２月３日の株価である１６１０円を示す株価情報が格納されている構成としてもよい。
【００２７】
また、時系列データ格納部２０６の第２レコードにおいて、経済指標フィールドには「平均株価」を示す識別情報が格納されており、第１の区間フィールドには２００４年１月５日を示す日付情報または区間情報が格納されており、この第１の区間フィールドに対応する第１の数値フィールドには２００４年１月５日の平均株価である１００００円を示す株価情報が格納されており、第２の区間フィールドには２００４年１月６日を示す日付情報または区間情報が格納されており、この第２の区間フィールドに対応する第２の数値フィールドには２００４年１月６日の平均株価である１００１０円を示す株価情報が格納されている構成としてもよい。
【００２８】
また、時系列データ格納部２０６の第３レコードにおいて、経済指標フィールドには「為替レート」を示す識別情報が格納されており、第１の区間フィールドには２００４年１月５日を示す日付情報または区間情報が格納されており、この第１の区間フィールドに対応する第１の数値フィールドには２００４年１月５日の為替レートである１０８円６５銭を示す情報が格納されており、第２の区間フィールドには２００４年１月６日を示す日付情報または区間情報が格納されており、この第２の区間フィールドに対応する第２の数値フィールドには２００４年１月６日の為替レートである１０８円９０銭を示す情報が格納されている構成としてもよい。
【００２９】
また、時系列データ格納部２０６の第４レコードにおいて、経済指標フィールドには「失業率」を示す識別情報が格納されており、第１の区間フィールドには２００３年１月１日から２００３年３月３１日までを示す日付情報または区間情報が格納されており、この第１の区間フィールドに対応する第１の数値フィールドには２００３年１月１日から２００３年３月３１日までの失業率である４．３０％を示す情報が格納されており、第２の区間フィールドには２００３年４月１日から２００３年６月３０日までを示す日付情報または区間情報が格納されており、この第２の区間フィールドに対応する第２の数値フィールドには２００３年４月１日から２００３年６月３０日までの失業率である５．００％を示す情報が格納されている構成としてもよい。なお、２００３年１月１日から２００３年３月３１日までを示す情報として２００３年第１四半期を示す情報を用いてもよく、２００３年４月１日から２００３年６月３０日までを示す情報として２００３年第２四半期を示す情報を用いてもよい。
【００３０】
このように、時系列データ格納部２０６では、経済指標とその時系列データが対応付けて格納されており、経済指標が入力装置２２から入力されて指定された場合に、類似区間検出部２０４は、時系列データ格納部２０６の経済指標フィールドを検索して上記入力された経済指標の識別情報を格納しているレコードを検出し、検出したレコードの格納情報を読み出してその区間フィールドと当該区間フィールドに対応する数値フィールドを時系列データとして読み出すことができるようになっており、更には読み出したレコードの経済指標フィールドから当該時系列データの経済指標を検出できるようになっており、これにより類似区間検出部２０４は時系列データの類似区間を検出した場合にその時系列データの経済指標を検出できるようになっている。また、経済指標が入力装置２２から入力されて指定された場合に、類似区間検出部２０４は、時系列データ格納部２０６の経済指標フィールドを検索して上記入力された経済指標の識別情報を格納しているレコード以外のレコードを検出し、検出したレコードの格納情報を読み出してその区間フィールドとこの区間フィールドに対応する数値フィールドを時系列データとして読み出すことで上記入力された経済指標とは異なる経済指標（すなわち他の経済指標）の時系列データを取得することができるようになっており、更には読み出したレコードの経済指標フィールドから当該時系列データの経済指標を検出できるようになっており、これにより類似区間検出部２０４は時系列データの類似区間を検出した場合にその時系列データの経済指標を検出できるようになっている。
【００３１】
図３は、レポート格納部２０８に格納されたデータの構造の一例を示す。レポート格納部２０８は、アナリストレポートの名称であるレポート名を示す情報を、そのアナリストレポートが対象としている経済指標に対応付けて格納している。また、レポート名には、それぞれのアナリストレポートが対象としている区間と、それぞれのアナリストレポートについてアナリストレポート作成者がレポート作成時にレポートの中で重視した周期である重視周期を示す情報が対応付けられている。図３に示す例において、レポート２は、２００４年１月１日から２００４年１２月３１日までの１年間の企業Ｘの株価に関して、１ヶ月の周期を重視して書かれていることを示している。また、図３に示す例において、レポート３は、２００４年２月１日から２００４年２月２９日までの１ヶ月間の企業Ｘの株価および平均株価に関して書かれていることを示している。このように、アナリストレポートは、１つ以上の経済指標に関して書かれていてもよい。また、レポート格納部２０８は、それぞれのレポート名に対応するアナリストレポートの内容データを格納している。例えばレポート格納部２０８をデータテーブルとし、経済指標毎にレコードを割り当てることで、企業Ｘの株価、平均株価、為替レート、失業率等に対してレコードを割り当て、レコード毎に経済指標の識別情報を格納する経済指標フィールド、対象区間フィールド、レポート名フィールド、重視周期フィールド等を有し、対象区間フィールドとレポート名フィールドと重視周期フィールド等が対応付けられた構成としてもよく、レポート名フィールドにはレポート名を示す情報とそのレポートの内容データを格納する構成としてもよく、更にはレポート作成日およびレポート作成者を示す情報を格納する構成としてもよい。
【００３２】
本例のレポート格納部２０８では、第１レコードにおいて、経済指標フィールドには「企業Ｘの株価」を示す識別情報が格納されており、第１の対象区間フィールドには２００４年２月１日から２００４年２月７日までを示す日付情報または区間情報が格納されており、第１の対象区間フィールドに対応する第１のレポート名フィールドにはレポート名「レポート１」を示すレポート名情報とそのアナリストレポート内容データが格納されており、第１の対象区間フィールドおよび第１のレポート名フィールドに対応する第１の重視周期フィールドには１週間を示す周期情報が格納されており、第２の対象区間フィールドには２００４年１月１日から２００４年１２月３１日までを示す日付情報または区間情報が格納されており、第２の対象区間フィールドに対応する第２のレポート名フィールドにはレポート名「レポート２」を示すレポート名情報とそのアナリストレポート内容データが格納されており、第２の対象区間フィールドおよび第２のレポート名フィールドに対応する第２の重視周期フィールドには１ヵ月を示す周期情報が格納されており、第３の対象区間フィールドには２００４年２月１日から２００４年２月２９日までを示す日付情報または区間情報が格納されており、第３の対象区間フィールドに対応する第３のレポート名フィールドにはレポート名「レポート３」を示すレポート名情報とそのアナリストレポート内容データが格納されており、第３の対象区間フィールドおよび第３のレポート名フィールドに対応する第３の重視周期フィールドには１ヵ月を示す周期情報が格納されている構成としてもよい。
【００３３】
また、レポート格納部２０８の第２レコードにおいて、経済指標フィールドには「平均株価」を示す識別情報が格納されており、第１の対象区間フィールドには２００４年２月１日から２００４年２月２９日までを示す日付情報または区間情報が格納されており、第１の対象区間フィールドに対応する第１のレポート名フィールドにはレポート名「レポート３」を示すレポート名情報とそのアナリストレポート内容データが格納されており、第１の対象区間フィールドおよび第１のレポート名フィールドに対応する第１の重視周期フィールドには１ヵ月を示す周期情報が格納されており、第２の対象区間フィールドには２００４年１月１日から２００４年３月３１日までを示す日付情報または区間情報が格納されており、第２の対象区間フィールドに対応する第２のレポート名フィールドにはレポート名「レポート４」を示すレポート名情報とそのアナリストレポート内容データが格納されており、第２の対象区間フィールドおよび第２のレポート名フィールドに対応する第２の重視周期フィールドには１週間を示す周期情報が格納されている構成としてもよい。
【００３４】
また、レポート格納部２０８の第３レコードにおいて、経済指標フィールドには「為替レート」を示す識別情報が格納されており、第１の対象区間フィールドには２００４年２月１日から２００４年２月２９日までを示す日付情報または区間情報が格納されており、第１の対象区間フィールドに対応する第１のレポート名フィールドにはレポート名「レポート５」を示すレポート名情報とそのアナリストレポート内容データが格納されており、第１の対象区間フィールドおよび第１のレポート名フィールドに対応する第１の重視周期フィールドには１ヵ月を示す周期情報が格納されており、第２の対象区間フィールドには２００４年１月１日から２００４年３月３１日までを示す日付情報または区間情報が格納されており、第２の対象区間フィールドに対応する第２のレポート名フィールドにはレポート名「レポート６」を示すレポート名情報とそのアナリストレポート内容データが格納されており、第２の対象区間フィールドおよび第２のレポート名フィールドに対応する第２の重視周期フィールドには四半期を示す周期情報が格納されている構成としてもよい。
【００３５】
レポート格納部２０８が、対象としている区間および重視した周期に対応付けてアナリストレポートを格納しているので、特定の日付をその区間内に含むアナリストレポートを抽出することができると共に、抽出されたアナリストレポートが、当該アナリストレポートの中でいずれの周期を重視して調査および分析を行っているかを知ることができる。一例として、対象区間フィールドに格納されている情報である日付情報または区間情報を検索することで、特定の日付を含む日付情報または区間情報を格納している対象区間フィールドを検出し、当該対象区間フィールドを含むレコードの経済指標フィールドの格納情報から経済指標の識別情報を検出することができると共に、検出した対象区間フィールドに対応するレポート名フィールドに格納されているレポート名情報およびアナリストレポート内容データを取得することで、このレポート名のアナリストレポートを得ることができ、検出した対象区間フィールドに対応する重視周期フィールドに格納されている重視情報から当該アナリストレポートの重視周期を検出することができる。また、経済指標の識別情報が判明している場合は、経済指標フィールドを検索して当該経済指標の識別情報を格納しているレコードを検出し、当該レコードの対象区間フィールドに格納されている情報である日付情報または区間情報を検索することで、特定の日付を含む日付情報または区間情報を格納している対象区間フィールドを検出し、検出した対象区間フィールドに対応するレポート名フィールドに格納されているレポート名情報およびアナリストレポート内容データを取得することで、このレポート名のアナリストレポートを得ることができ、検出した対象区間フィールドに対応する重視周期フィールドに格納されている重視情報から当該アナリストレポートの重視周期を検出することができる。
【００３６】
図４は、表示装置２４に表示される入力画面の一例を示す。ユーザにより入力装置２２を介して入力欄３０２に分析の対象とする経済指標が入力されると、提示装置本体２０の注目区間入力部２０２に経済指標を示す識別情報が入力されて類似区間検出部２０４に提供されると共に、表示装置２４は、入力された経済指標を示す識別情報に基づき、時系列データ格納部２０６を参照して当該経済指標の時系列データを取得し、当該経済指標の時系列データをグラフとして波形表示領域３００に表示するようになっている。次に、ユーザにより入力装置２２を介して、注目区間として、入力欄３０４に始点日Ｘ、入力欄３０６に終点日Ｙがそれぞれ入力されると、注目区間入力部２０２に注目区間ＸＹを示す情報が入力されて類似区間検出部２０４に提供されると共に、表示装置２４は、入力された注目区間ＸＹを示す情報に基づき、波形表示領域３００に表示された時系列データの中で、注目区間ＸＹで指定された部分をハイライト表示するようになっている。これにより、ユーザは、調査および分析を行う対象の経済指標の時系列データを、波形表示領域３００のグラフ上で確認することができる。この図４の入力画面では、経済指標の入力欄３０２には入力装置２２を介して「平均株価」が入力されており、注目区間の入力欄のうち始点日Ｘの入力欄３０４には入力装置２２を介して「２００４年２月１日」が入力されており、終点日Ｙの入力欄３０６には入力装置２２を介して「２００４年２月２９日」が入力されている例が示されている。
【００３７】
次に、ユーザは、注目すべき周期である注目周期として、複数のラジオボタン３０８１〜３０８６のいずれかをクリックして選択することにより、１週間、１ヶ月、四半期、半期（半年）、１年、または１０年のいずれかを選択することができるようになっている。そして、照合実行ボタン３１０がクリックされると、注目周期および照合実行ボタン３１０のクリックを示す情報が注目区間入力部２０２を介して類似区間検出部２０４に提供され、類似区間検出部２０４は、注目区間ＸＹにおける分析対象の時系列データの挙動に基づき、注目区間ＸＹの挙動と類似する挙動を有する類似区間を、時系列データ格納部２０６に格納されている複数の経済指標の時系列データに基づいて検出する。類似区間検出部２０４は、注目区間ＸＹにおける分析対象の時系列データの挙動に基づき、入力欄３０２に入力された経済指標とは異なる他の経済指標の時系列データにおいて、注目区間ＸＹの挙動と類似する挙動を有する類似区間を、時系列データ格納部２０６に格納されている複数の経済指標の時系列データに基づいて検出する構成としてもよい。本実施形態における類似区間検出部２０４は、複数のラジオボタン３０８１〜３０８６の何れか一つによって指定された注目周期の周波数成分を比較することにより、分析の対象とする経済指標の時系列データと他の経済指標の時系列データとの挙動が類似しているか否かを判定する。この図４の入力画面では、注目周期として「１週間」を選択および入力するための入力欄であるラジオボタン３０８１と、「１ヵ月」を選択および入力するための入力欄であるラジオボタン３０８２と、「四半期」を選択および入力するための入力欄であるラジオボタン３０８３と、「半期」を選択および入力するための入力欄であるラジオボタン３０８４と、「１年」を選択および入力するための入力欄であるラジオボタン３０８５と、「１０年」を選択および入力するための入力欄であるラジオボタン３０８６とが表示されており、注目周期として「１ヵ月」を選択および入力するためのラジオボタン３０８２がクリックされて選択されている例が示されている。なお、ラジオボタン３０８２がクリック又は選択されたことを示す情報が注目区間入力部２０２に入力されると、この情報に基づいて注目区間入力部２０２は注目周期として「１ヵ月」が入力されたことを識別することができるようになっており、注目区間入力部２０２はこの注目周期を示す情報を類似区間検出部２０４とレポート出力部２１０に提供する。
【００３８】
類似区間検出部２０４により他の経済指標の類似区間と当該他の経済指標の識別情報が検出された場合に、当該他の経済指標の識別情報および類似区間を示す情報がレポート出力部２１０に提供され、レポート出力部２１０は、当該他の経済指標の識別情報および類似区間に含まれる日付を示す情報に対応付けられたアナリストレポートの内容データをレポート格納部２０８から取得する。このとき、当該他の経済指標の識別情報に対応付けられたレコードにおいて類似区間に含まれる日付を示す情報に対応付けられた各フィールドの格納情報を取得して当該フィールド内の重視周期の情報を後述のように用いる構成としてもよい。レポート出力部２１０は、「類似区間に含まれる日付」として、アナリストレポートが「日」に対応付けられている場合には、類似区間内の日付のアナリストレポートを抽出する。一方、レポート出力部２１０は、「類似区間に含まれる日付」として、アナリストレポートが「月」または「年」など、類似区間と同一また長い日付に対応付けられている場合には、類似区間内の日付とアナリストレポートに対応付けられた日付が一部でも重複するときに「類似区間に含まれる」として、そのアナリストレポートの内容データを抽出する。そして、レポート出力部２１０は、抽出されたアナリストレポートの中で、アナリストレポートが対象としている重視周期と、複数のラジオボタン３０８１〜３０８６のいずれかによって指定された注目周期とが一致するものを選択して表示装置２４に表示させる。ユーザが指定した注目周期と同一の周期を重視したアナリストレポートが表示出力されるので、当該注目区間ＸＹにおける注目周期について解析する場合に、アナリストは、表示出力されたアナリストレポートを参考にすることができる。
【００３９】
図５は、表示装置２４に表示される抽出結果の一例を示す。表示装置２４は、抽出に使用した経済指標、注目区間ＸＹ、および注目周期を表示画面に表示するようになっており、この図５では対象経済指標、類似区間、作成日、および作成者を、レポート名に対応付けて表示する例を示している。表示装置２４は、複数のレポート名のいずれかがクリックされた場合に、クリックされたレポート名が示すアナリストレポートを表示するようになっており、例えばレポート格納部２０８の対応するレポート名フィールドから格納情報の内容データを読み出すようにしてもよい。この図５は、図４に示す入力画面の経済指標の入力欄３０２に「平均株価」が入力され、注目区間の入力欄のうち始点日Ｘの入力欄３０４に「２００４年２月１日」が入力され、終点日Ｙの入力欄３０６に「２００４年２月２９日」が入力され、注目周期として１ヵ月を示すラジオボタン３０８２が選択されて照合実行ボタン３１０がクリックされた場合の照合結果を例示しており、この図５の表示画面では、対象経済指標が「平均株価」であり、類似区間が２０００年３月１日から２０００年３月３１日であり、レポート作成日が２０００年４月１６日であり、レポート作成者が××××であり、レポート名がレポート１０である第１の照合結果（検出結果）と、対象経済指標が「企業Ｘの株価」であり、類似区間が１９９５年６月１日から１９９５年６月３０日であり、レポート作成日が１９９５年７月２０日であり、レポート作成者が△△△△であり、レポート名がレポート１１である第２の照合結果（検出結果）と、対象経済指標が「企業Ｘの株価」であり、類似区間が１９９７年５月１日から１９９７年５月３１日であり、レポート作成日が１９９７年６月１０日であり、レポート作成者が□□□□であり、レポート名がレポート１２である第３の照合結果（検出結果）とが例示されている。
【００４０】
このように、ある経済指標について注目している注目区間ＸＹに類似する挙動を示した、他の経済指標について作成されたアナリストレポートが表示装置２４に表示出力されるので、アナリストは、出力されたアナリストレポートを、当該注目区間ＸＹにおける挙動を解析する場合に参考にすることができる。このように、レポート出力部２１０は、類似区間検出部２０４で検出された類似区間に含まれる日付に対応付けられたアナリストレポートをレポート格納部２０８から読み出して表示装置２４に表示出力する。本例では、レポート出力部２１０は、類似区間検出部２０４が検出した経済指標および類似区間に含まれる日付に対応付けられたアナリストレポートおよびそのレポート名をレポート格納部２０８から読み出して表示装置２４に表示する。
【００４１】
なお、レポート出力部２１０は、時系列データ格納部２０６に格納されている複数の経済指標の時系列データについて、当該複数の経済指標のうち、入力装置２２で入力された経済指標のレポート名と他の経済指標のレポート名とを異なる表示形式で表示する構成としてもよく、例えば、レポート名の文字の色を異なる色としてもよく、レポート名の文字の太さを異なる太さとしてもよく、レポート名の文字の背景色を異なる背景色としてもよい。これにより、ユーザが入力装置２２に入力した経済指標とは異なる経済指標のレポート名が表示される場合に、当該他の経済指標のレポート名をユーザに判りやすく提示することができ、例えばユーザが入力した経済指標を含む複数の経済指標のレポート名が表示される場合に複数のレポート名における経済指標の相違を表示形式によりユーザに判りやすく提示することができる。第一の例として類似区間検出部２０４は、挙動が類似する類似区間を有する経済指標として複数の経済指標の識別情報を検出した場合に、当該複数の経済指標の識別情報のうちユーザが入力した経済指標の識別情報に対してはユーザが入力した経済指標と同一である旨のフラグを付与する一方、当該複数の経済指標の識別情報のうちユーザが入力した経済指標の識別情報と異なる識別情報に対してはユーザが入力した経済指標と異なる旨のフラグを付与し、レポート出力部２１０は当該複数の経済指標のレポート名について経済指標の識別情報に付与されたフラグに応じて表示形式を変えるようにしてもよい。第二の例としてレポート出力部２１０は、ユーザが入力した経済指標の識別情報が注目区間入力部２０２から提供されて当該経済指標の識別情報を保持し、類似区間検出部２０４で挙動が類似する類似区間を有する経済指標として複数の経済指標の識別情報が検出された場合に、当該複数の経済指標の識別情報と保持している経済指標の識別情報とを比較し、比較結果に基づいて比較対象の経済指標についてのレポート名の表示形式を変えてもよく、当該複数の経済指標の識別情報のうちユーザが入力した経済指標の識別情報に対してはユーザが入力した経済指標と同一である旨のフラグを付与する一方、当該複数の経済指標の識別情報のうちユーザが入力した経済指標の識別情報と異なる識別情報に対してはユーザが入力した経済指標と異なる旨のフラグを付与して保持し、レポート出力部２１０は当該複数の経済指標のレポート名について経済指標の識別情報に付与されたフラグに応じて表示形式を変えるようにしてもよい。
【００４２】
図６（ａ）は、表示装置２４の入力画面の経済指標入力欄３０２で指定された経済指標Ａにおける時系列データの挙動の一例を示す。図６（ｂ）は、図６（ａ）に示す注目区間ＸＹにおける経済指標Ａの時系列データの挙動の周波数成分を示す。本実施形態における類似区間検出部２０４は、時系列データの挙動をフーリエ変換することにより、フーリエ変換により得られた周波数と位相に基づいて、２つの区間の挙動が類似しているか否かを判断する。一例として、類似区間検出部２０４は、時系列データを離散型高速フーリエ変換（ＤＦＦＴ）する処理を行う構成としてもよい。
【００４３】
まず、類似区間検出部２０４は、注目区間ＸＹにおける経済指標Ａの時系列データの挙動をフーリエ変換処理し、表示装置２４の入力画面に入力装置２２を介して入力された注目周期についてその逆数である注目周波数ｆ０を含んだ下限周波数ｆｌから上限周波数ｆｈまでの周波数範囲に含まれる周波数成分を抽出する処理を行う。なお、類似区間検出部２０４は、予め設定された下限周波数ｆｌおよび上限周波数ｆｈの情報を内部記憶装置に格納しており、図６（ｂ）に示す例において、下限周波数ｆｌは注目周波数ｆ０の０．８倍であり、上限周波数ｆｈは注目周波数ｆ０の１．２倍の周波数に設定されている。次に、類似区間検出部２０４は、下限周波数ｆｌから上限周波数ｆｈまでの周波数範囲に含まれる周波数成分の中で、最大強度の周波数成分を抽出する。本例において、周波数ｆａ１の強度Ｉａ１は、周波数ｆａ２の強度Ｉａ２よりも小さいので、類似区間検出部２０４は、最大強度の周波数成分として周波数ｆａ２を抽出する。なお、図６（ｂ）においては、図を簡略化するため、フーリエ変換後の周波数成分のうち、下限周波数ｆｌから上限周波数ｆｈまでの周波数成分が例示されている。
【００４４】
図７（ａ）は、他の経済指標Ｂにおける時系列データの挙動の一例を示す。図７（ｂ）は、図７（ａ）に示す区間Ｔ１における他の経済指標Ｂの時系列データの挙動の周波数成分を例示しており、図７（ｃ）は、図７（ａ）に示す区間Ｔ２における他の経済指標Ｂの時系列データの挙動の周波数成分を例示している。
【００４５】
類似区間検出部２０４は、他の経済指標Ｂの時系列データにおいて、注目区間ＸＹと同じ長さを有する区間について、その区間に含まれる他の経済指標Ｂの時系列データの挙動をフーリエ変換処理し、注目周波数ｆ０を中心として、下限周波数ｆｌから上限周波数ｆｈまでの周波数範囲に含まれる周波数成分を抽出する。そして、類似区間検出部２０４は、下限周波数ｆｌから上限周波数ｆｈまでの周波数範囲に含まれる周波数成分の中で、最大強度の周波数成分を抽出する。本例において、図７（ｂ）および図７（ｃ）に示すように、類似区間検出部２０４は、区間Ｔ１の最大強度の周波数成分として周波数ｆｂ１を抽出し、区間Ｔ２の最大強度の周波数成分として周波数ｆｂ２を抽出する。なお、図７（ｂ）および図７（ｃ）においては、図を簡略化するため、フーリエ変換後の周波数成分のうち、下限周波数ｆｌから上限周波数ｆｈまでの周波数成分が例示されている。
【００４６】
図８は、分析対象の経済指標Ａと他の経済指標Ｂとの位相を比較する形態の一例を説明するための説明図である。図８の曲線Ａは周波数成分ｆａ２の波形に対応しており、曲線Ｂ１は周波数成分ｆｂ１の波形に対応しており、曲線Ｂ２は周波数成分ｆｂ２の波形に対応している。類似区間検出部２０４は、経済指標Ａの時系列データに含まれる周波数成分ｆａ２および他の経済指標Ｂの時系列データに含まれる周波数成分ｆｂ２のそれぞれの振幅と位相の情報を取り出して比較する。本実施形態における類似区間検出部２０４は、他の経済指標Ｂの時系列データに含まれる周波数成分ｆｂ２の上に凸となるピークが、経済指標Ａの時系列データに含まれる周波数成分ｆａ２の位相を基準として、周波数成分ｆａ２の上に凸となるピークの所定範囲内、例えば±π／４の範囲内にある場合に、経済指標Ａの時系列データの挙動と他の経済指標Ｂの時系列データの挙動とが類似していると判定する。なお類似区間検出部２０４は、位相の類似を判断する範囲として、所定範囲を示す情報、例えば±π／４を予め内部記憶装置に格納している。
【００４７】
図８に示す例において、他の経済指標Ｂの時系列データに含まれる周波数成分ｆｂ２の上に凸となるピークＰｂ２は、経済指標Ａの時系列データに含まれる周波数成分ｆａ２の位相を基準として、周波数成分ｆａ２の上に凸となるピークＰａの±π／４の範囲内にある。一方、他の経済指標Ｂの時系列データに含まれる周波数成分ｆｂ１の上に凸となるピークＰｂ１は、ピークＰａの±π／４の範囲外にある。従って、類似区間検出部２０４は、他の経済指標Ｂの時系列データの区間Ｔ２における挙動を、注目区間ＸＹにおける経済指標Ａの時系列データの挙動と類似していると判定し、区間Ｔ２を類似区間として検出する。
【００４８】
このように、類似区間検出部２０４は、特定の周期の周波数成分に関して、分析対象の経済指標Ａと他の経済指標Ｂとの位相を比較することにより、分析対象の経済指標Ａと他の経済指標Ｂとの時系列データの挙動の類似を判定するので、複数の周期に対応する周波数成分について位相を比較する場合に比べて判定用の処理を減らすことができ、より速く時系列データの挙動の類似を判定することができる。
【００４９】
図９は、提示装置本体２０の概略的な処理動作を例示するフローチャートである。入力装置２２を介して分析対象の経済指標Ａが入力欄３０２に入力されることにより、本フローチャートに示す提示装置本体２０の処理動作が開始する。まず、提示装置本体２０は、分析対象の経済指標Ａを示す情報をユーザから入力装置２２を介して受け取り、時系列データ格納部２０６を参照し、経済指標Ａの時系列データをグラフ形式で表示装置２４に表示させる（Ｓ１００）。そして、提示装置本体２０は、注目区間ＸＹにおいて、分析の対象とする経済指標Ａの時系列データをフーリエ変換処理することにより、注目周波数近傍における最大強度の周波数成分を抽出し、その周波数成分における位相を算出する（Ｓ２００）。そして、提示装置本体２０は、注目区間ＸＹと同一の長さを有する区間について、他の経済指標Ｂの時系列データから、分析の対象とする経済指標Ａの時系列データに類似する挙動を有する時系列データの類似区間を検出する。そして、検出された類似区間に含まれる日付に対応付けられたアナリストレポートの中で、そのアナリストレポートの重視周期と、ユーザによって入力された注目周期とが一致するアナリストレポートを抽出して表示装置２４に表示し（Ｓ３００）、本フローチャートに示す提示装置本体２０の処理動作が終了する。
【００５０】
図１０は、ステップ１００における提示装置本体２０の詳細な動作の一例を示すフローチャートである。注目区間入力部２０２は、入力装置２２を介して、分析対象の経済指標Ａ（の識別情報）、注目区間ＸＹ、および注目周期を示す情報が入力され、入力された情報を受け取る（Ｓ１０２）。注目区間入力部２０２は、入力装置２２から入力された経済指標Ａの時系列データの波形を注目区間ＸＹをハイライト等にして表示装置２４に表示させる（Ｓ１０４）。なお、このとき注目区間入力部２０２の入力情報を類似区間検出部２０４及びレポート出力部２１０が受け取って類似区間検出部２０４が時系列データ格納部２０６から経済指標Ａの識別情報を経済指標フィールドに格納しているレコードを検出し、当該レコードについて時系列データを含むレコード格納情報を読み出して保持する構成としてもよい。そして、注目区間入力部２０２は、照合実行ボタン３１０がクリックされたか否かを判定する（Ｓ１０６）。照合実行ボタン３１０がクリックされていない場合（Ｓ１０６：Ｎｏ）、ステップＳ１０２に戻り、注目区間入力部２０２は、入力装置２２を介して、分析対象の経済指標Ａ、注目区間ＸＹ、および注目周期を示す情報を再び受け取る（Ｓ１０２）。これにより、提示装置本体２０では、分析対象の経済指標Ａの波形を確認しながら注目区間および注目周期を入力することができる。照合実行ボタン３１０がクリックされた場合（Ｓ１０６：Ｙｅｓ）、ステップＳ２００へ進むとともに、ステップＳ１００に示される提示装置本体２０の動作は終了する。
【００５１】
図１１は、ステップＳ２００における提示装置本体２０の詳細な動作の一例を示すフローチャートである。類似区間検出部２０４は、注目区間ＸＹにおいて、分析の対象とする経済指標Ａの時系列データをフーリエ変換処理する（Ｓ２０２）。そして、類似区間検出部２０４は、注目周期に対応する注目周波数ｆ０を含む上限周波数ｆｌおよび下限周波数ｆｈの範囲に含まれる周波数成分の中で、最大強度の周波数成分を抽出する（Ｓ２０４）。そして、類似区間検出部２０４は、抽出した最大強度の周波数成分の位相を算出し（Ｓ２０６）、ステップ２００に示される提示装置本体２０の動作は終了する。
【００５２】
図１２は、ステップＳ３００における提示装置本体２０の詳細な動作の一例を示すフローチャートである。類似区間検出部２０４は、比較対象の経済指標Ｂについて、注目区間ＸＹと同一の長さを有する比較区間の時系列データの波形をフーリエ変換処理する（Ｓ３０２）。なお、類似区間検出部２０４は、例えば時系列データ格納部２０６に格納されている各経済指標のレコードの格納情報を読み出し、当該格納情報から時系列データと経済指標の識別情報を抽出して時系列データのフーリエ変換処理を行い、その処理結果を当該経済指標の識別情報に対応付けて保持する構成としてもよい。そして、類似区間検出部２０４は、注目周波数の例えば０．８倍から１．２倍の範囲内の周波数成分の中で、最大強度の周波数成分を算出し、その周波数成分における位相を算出する（Ｓ３０４）。そして、類似区間検出部２０４は、経済指標Ａの時系列データに含まれる最大強度の周波数成分の位相を基準として、他の経済指標Ｂの時系列データの上に凸となるピークが、経済指標Ａの時系列データの上に凸となるピークの±π／４の範囲内にあるか否かを判定することによって、経済指標Ａの時系列データの挙動と他の経済指標Ｂの時系列データの挙動とが類似しているか否かを判定する（Ｓ３０６）。経済指標Ａの時系列データの挙動と他の経済指標Ｂの時系列データの挙動とが類似していない場合（Ｓ３０６：Ｎｏ）、類似区間検出部２０４は、他の経済指標の全ての区間について類似を比較したか否かを判定する（Ｓ３１４）。
【００５３】
類似区間検出部２０４は、経済指標Ａの時系列データの挙動と他の経済指標Ｂの時系列データの挙動とが類似している場合（Ｓ３０６：Ｙｅｓ）、当該類似区間を示す情報と当該他の経済指標Ｂの識別情報をレポート出力部２１０に出力し、レポート出力部２１０は、比較区間（類似区間）に含まれる日付に対応付けられた、他の経済指標Ｂに関するアナリストレポートをレポート格納部２０８から抽出する（Ｓ３０８）。例えば、レポート出力部２１０は、レポート格納部２０８において他の経済指標Ｂの識別情報を経済指標フィールドに格納しているレコードのうち、上記類似区間を含む区間情報を格納した対象区間フィールドとこの対象区間フィールドに対応付けされたアナリストレポート内容データを含むレポート名フィールドおよび重視区間フィールド等の格納情報を読み出して保持する構成としてもよい。そして、レポート出力部２１０は、重視区間フィールドから抽出されたアナリストレポートの重視周期と、ユーザから注目区間入力部２０２に入力された注目周期とが一致するか否かを判定する（Ｓ３１０）。抽出されたアナリストレポートの重視周期と、ユーザから入力された注目周期とが一致しない場合（Ｓ３１０：Ｎｏ）、類似区間検出部２０４は、他の経済指標の全ての区間について類似を比較したか否かを判定する（Ｓ３１４）。
【００５４】
抽出されたアナリストレポートの重視周期と、ユーザから入力された注目周期とが一致する場合（Ｓ３１０：Ｙｅｓ）、抽出されたアナリストレポートのレポート名を示す情報を保持する（Ｓ３１２）。次に、類似区間検出部２０４は、他の経済指標の全ての区間について類似を比較したか否かを判定する（Ｓ３１４）。他の経済指標の全ての区間について類似を比較していない場合（Ｓ３１４：Ｎｏ）、類似区間検出部２０４は、比較区間を所定量だけずらし（Ｓ３１６）、ずらした比較区間における他の経済指標の時系列データの波形をフーリエ変換処理する（Ｓ３０２）。ここで、所定量とは、例えば時系列データの時間単位（図２に示す株価の例にあっては１日）であってもよく、注目区間と同一の長さの区間（図４に示す注目区間にあっては１月）であってもよい。
【００５５】
他の経済指標の全ての区間について類似を比較した場合（Ｓ３１４：Ｙｅｓ）、類似区間検出部２０４は、時系列データ格納部２０６に格納された全ての他の経済指標に対して類似を判定したか否かを判定する（Ｓ３１８）。時系列データ格納部２０６に格納された全ての他の経済指標に対して類似を判定していない場合（Ｓ３１８：Ｎｏ）、類似区間検出部２０４は、比較の対象とする他の経済指標を変更し（Ｓ３２０）、比較区間における他の経済指標の時系列データの波形をフーリエ変換処理する（Ｓ３０２）。例えば時系列データ格納部２０６のレコードに通し番号を割り当てておき、通し番号順にレコード内の時系列データを比較対象とすることで比較対象の経済指標を変更する構成としてもよく、時系列データ格納部２０６に格納される複数の経済指標の時系列データに関して当該複数の経済指標の時系列データを格納している当該複数のレコードに対してのみ通し番号を付与する構成としてもよい。類似区間検出部２０４は、時系列データ格納部２０６に格納された全ての他の経済指標に対して類似を判定した場合（Ｓ３１８：Ｙｅｓ）、類似判定処理が終了したことを示す信号である類似判定処理終了信号をレポート出力部２１０に出力し、この類似判定処理終了信号に基づき、レポート出力部２１０は保持しているレポート名を表示装置２４に表示させ（Ｓ３２２）、ステップＳ３００に示される提示装置本体２０の処理動作は終了する。なお、レポート名と共にそのアナリストレポートの内容データを保持し、レポート名と共にアナリストレポートの内容を表示装置２４に表示する構成としてもよく、レポート名を表示装置２４に表示してレポート名がクリックされた場合に当該レポート名のアナリストレポートを表示出力する構成としてもよく、レポート名を表示装置２４に表示してレポート名がクリックされた場合にレポート格納部２０８からレポート名に対応するアナリストレポートの内容データを読み出して表示出力する構成としてもよい。
【００５６】
図１３（ａ）は、分析の対象とする経済指標Ａの周波数成分の一例を示す。図１３（ｂ）は、他の経済指標Ｂの周波数成分の一例を示す。なお、図１３においては、説明を簡略化するために、経済指標Ａおよび他の経済指標Ｂの周波数成分の一部を示している。図１から図１２に示す実施形態において、類似区間検出部２０４は、ユーザから入力された注目周期に対応するフーリエ変換の周波数近傍について、位相が所定の範囲内にあるか否かに基づいて類似判断を行ったが、類似を判断する形態はこれに限られない。他の形態として、図１３（ａ）および図１３（ｂ）に示すように、類似区間検出部２０４は、複数の特徴的な周波数成分について位相が近い場合に、類似であると判断してもよい。
【００５７】
図１３（ａ）および図１３（ｂ）に示す例において、類似区間検出部２０４は、注目区間ＸＹに含まれる経済指標Ａの時系列データの周波数成分のうち、複数の特徴的な周波数として、短期、中期および長期の周期に対応する周波数の例えば０．８倍から１．２倍の範囲内にある最大強度の周波数成分をそれぞれ抽出する。また、類似区間検出部２０４は、注目区間ＸＹと同一の長さを有する区間について、その区間に含まれる他の経済指標Ｂの時系列データの周波数成分のうち、短期、中期、および長期の周期に対応する注目周波数の例えば０．８倍から１．２倍の範囲内にある最大強度の周波数成分をそれぞれ抽出する。
【００５８】
図１３（ａ）に示す例において、類似区間検出部２０４は、注目区間ＸＹに含まれる経済指標Ａの周波数成分として、ｆａｌ、ｆａｍ、およびｆａｈをそれぞれ抽出する。長期の周期に対応する周波数の０．８倍から１．２倍の範囲内にある最大強度の周波数成分として周波数ｆａｌを抽出し、中期の周期に対応する周波数の０．８倍から１．２倍の範囲内にある最大強度の周波数成分として周波数ｆａｍを抽出し、短期の周期に対応する周波数の０．８倍から１．２倍の範囲内にある最大強度の周波数成分として周波数ｆａｈを抽出する。また、図１３（ｂ）に示す例において、注目区間ＸＹと同一の長さを有する区間について、その区間に含まれる他の経済指標Ｂの周波数成分として、ｆｂｌ、ｆｂｍ、およびｆｂｈをそれぞれ抽出する。長期の周期に対応する周波数の０．８倍から１．２倍の範囲内にある最大強度の周波数成分として周波数ｆｂｌを抽出し、中期の周期に対応する周波数の０．８倍から１．２倍の範囲内にある最大強度の周波数成分として周波数ｆｂｍを抽出し、短期の周期に対応する周波数の０．８倍から１．２倍の範囲内にある最大強度の周波数成分として周波数ｆｂｈを抽出する。なお、図１３に示す本例において、長期、中期、および短期の周期に対応する周波数成分は、それぞれｆｌ、ｆｍ、およびｆｈとして示しており、長期周波数ｆｌ＜中期周波数ｆｍ＜短期周波数ｆｈとなっている。また、短期とは、例えば１週間、１ヶ月、または四半期程度の周期としてもよく、中期とは、例えば１年から２年程度の周期としてもよく、長期とは、例えば２年以上の周期としてもよく、一例として３年以上の周期としてもよい。
【００５９】
図１４（ａ）は、図１３（ａ）および図１３（ｂ）に示す例について、長期に対応する周波数成分における経済指標Ａの時系列データの波形Ａｌおよび他の経済指標Ｂの時系列データの波形Ｂｌを示しており、波形Ａｌは長期周波数ｆｌに対応しており、波形Ｂｌは周波数ｆｂｌに対応している。図１４（ｂ）は、図１３（ａ）および図１３（ｂ）に示す例について、中期に対応する周波数成分における経済指標Ａの時系列データの波形Ａｍおよび他の経済指標Ｂの時系列データの波形Ｂｍを示しており、波形Ａｍは中期周波数ｆｍに対応しており、波形Ｂｍは周波数ｆｂｍに対応している。図１４（ｃ）は、図１３（ａ）および図１３（ｂ）に示す例について、短期に対応する周波数成分における経済指標Ａの時系列データの波形Ａｈおよび他の経済指標Ｂの時系列データの波形Ｂｈを示しており、波形Ａｈは短期周波数ｆｈに対応しており、波形Ｂｈは周波数ｆｂｈに対応している。
【００６０】
本例において類似区間検出部２０４は、他の経済指標Ｂの時系列データにおいて上に凸となるピークが、経済指標Ａの時系列データに含まれる周波数成分の位相を基準として、経済指標Ａの時系列データにおいて上に凸となるピークの所定範囲内、一例として±π／４の範囲内にあるか否かを判定することによって、経済指標Ａおよび他の経済指標Ｂの短期、中期、および長期のそれぞれの波形が類似しているか否かを判定する。ここでは、類似区間検出部２０４は、短期、中期、および長期のそれぞれに対応する波形がすべて類似している場合に、経済指標Ａの時系列データの挙動と他の経済指標Ｂの時系列データの挙動とが類似していると判定する。これにより、分析の対象とする経済指標の時系列データに対してより類似性の高い挙動を有する他の経済指標に関するアナリストレポートを抽出することができる。
【００６１】
図１４（ａ）に示す例において、波形Ｂｌの上に凸となるピークＰｂｌは、波形Ａｌの位相を基準として、波形Ａｌの上に凸となるピークＰａｌの±π／４の範囲内にある。また、図１４（ｂ）に示す例において、波形Ｂｍの上に凸となるピークＰｂｍは、波形Ａｍの位相を基準として、波形Ａｍの上に凸となるピークＰａｍの±π／４の範囲内にある。一方、図１４（ｃ）に示す例において、波形Ｂｈの上に凸となるピークＰｂｈは、波形Ａｈの位相を基準として、波形Ａｈの上に凸となるピークＰａｈの±π／４の範囲内にない。この場合に、類似区間検出部２０４は、経済指標Ａの時系列データの挙動と他の経済指標Ｂの時系列データの挙動とは、当該区間について、類似していないと判定する。
【００６２】
この例では、類似区間検出部２０４が、短期、中期、および長期のそれぞれに対応する周波数成分の波形がすべて類似しており、経済指標Ａの時系列データの挙動と他の経済指標Ｂの時系列データの挙動とが類似していると判定した場合、レポート出力部２１０は、他の経済指標および類似区間に含まれる日付に対応付けられたアナリストレポートをレポート格納部２０８から抽出し、抽出されたアナリストレポートの中で、アナリストレポートが重視している重視周期と、ユーザが入力した注目周期とが一致するものを表示装置２４に表示させる。
【００６３】
なお、図１から図１２に示す実施形態における類似区間検出部２０４は、類似区間を抽出すべく、下限周波数ｆｌから上限周波数ｆｈまでの周波数範囲に含まれる周波数成分の中で最大強度の周波数成分を抽出するが、周波数成分を抽出する形態はこれに限られない。他の形態において、類似区間検出部２０４は、注目周波数ｆ０を中心として、下限周波数ｆｌから上限周波数ｆｈまでの周波数範囲に含まれる周波数成分の中で、強度の大きいものから順に所定個数（例えば予め設定された複数個）抽出する構成としてもよい。さらに他の例として、類似区間検出部２０４は、注目周波数ｆ０を中心として、下限周波数ｆｌから上限周波数ｆｈまでの周波数範囲に含まれる周波数成分の中で、所定値以上の強度の周波数成分を全て抽出する構成としてもよい。
【００６４】
上記類似区間検出部２０４は、類似区間における位相の類似を抽出すべく、他の経済指標Ｂの時系列データのピークが、経済指標Ａの時系列データのピークの±π／４の範囲内にあるか否かを判断するが、位相の類似を判断する形態はこれに限られない。他の形態として、類似区間検出部２０４は、他の経済指標Ｂの時系列データの上に凸となるピークが、経済指標Ａの時系列データの上に凸となるピークの±π／４の範囲よりも狭い所定の範囲にあるか否かを判断してもよいし、±π／４の範囲よりも広い所定の範囲にあるか否かを判定してもよい。
【００６５】
また、上記類似区間検出部２０４は、フーリエ変換を用いて注目周波数近傍の周波数成分の位相を比較することにより、経済指標Ａの時系列データの挙動と他の経済指標Ｂの時系列データの挙動とが類似しているか否かを判定するが、類似を判断する形態はこれに限られない。他の形態として、類似区間検出部２０４をニューラルネットワークにより構成し、特許文献１に示すように、逆伝播学習法を用いて学習した類似区間検出部２０４が類似を判断してもよい。この場合に、例えば、有価証券の投資に関する専門家が、類似している経済指標の波形と類似していない経済指標の波形とを類似区間検出部２０４に学習させ、学習させた後の類似区間検出部２０４が２つの波形の類似を判定する構成としてもよい。
【００６６】
また、上記類似区間検出部２０４は、分析対象の経済指標とは異なる他の経済指標について類似区間を検出するが、類似区間を抽出する形態はこれに限られない。他の形態として、類似区間検出部２０４は、分析対象の経済指標と同一の経済指標について、注目区間ＸＹに類似する挙動を有する区間を類似区間として検出する構成としてもよく、類似区間検出部２０４は、時系列データ格納部２０６に格納されている複数の経済指標について、分析対象の経済指標における注目区間ＸＹに類似する挙動を有する区間を類似区間として検出する構成としてもよい。また、この場合、類似区間検出部２０４は、注目区間ＸＹに含まれる日付の一部を含む区間を類似区間として検出する構成としてもよいし、注目区間ＸＹを含まない区間を類似区間として検出する構成としてもよい。
【００６７】
図１から図１４に示す実施形態におけるレポート格納部２０８は、レポート名に対応付けてアナリストレポートの内容も格納しているが、アナリストレポートの格納の形態はこれに限られない。他の形態として、提示装置本体２０のレポート格納部２０８はレポート名とアナリストレポートのうちレポート名のみを格納しており、提示装置本体２０と接続された外部のデータベースがレポート名を示す情報に対応付けてアナリストレポートの内容データを格納して当該外部のデータベースからアナリストレポートを読み出すことができるようにしてもよい。
【００６８】
また、上記レポート格納部２０８は、アナリストレポートにおいて重視された重視周期に対応付けて当該レポートを格納しており、レポート出力部２１０は、重視周期とユーザの入力による注目周期とが一致しているアナリストレポートを出力するが、アナリストレポートを出力する形態はこれに限られない。他の形態として、レポート格納部２０８は、重視周期についての情報を格納しておらず、レポート出力部２１０は、類似区間に含まれる日付についてのアナリストレポートを出力する構成としてもよい。
【００６９】
上述したように、本実施形態のアナリストレポート提示装置１０は、時系列データ格納部２０６に複数の経済指標の時系列データを経済指標に対応付けて格納しておき、ある特定の経済指標について注目している注目区間に類似する挙動を示す経済指標の区間および当該経済指標を時系列データ格納部２０６の格納データから検出し、検出された経済指標および区間について作成されたアナリストレポートをレポート格納部２０８から取得して出力することにより、アナリストレポート提示装置１０はユーザが類似区間についてのアナリストレポートを取得するための手間と負担を軽減することができると共に、上記注目区間における経済指標の挙動の解析やレポート作成を行うことを支援することが可能である。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７１】
【図１】本発明の一実施形態に係るアナリストレポート提示装置１０の構成を示す図である。
【図２】時系列データ格納部２０６に格納されたデータの構造の一例を示す図である。
【図３】レポート格納部２０８に格納されたデータの構造の一例を示す図である。
【図４】表示装置２４に表示される入力画面の一例を示す図である。
【図５】表示装置２４に表示される照合の結果の一例を示す図である。
【図６】図６（ａ）は経済指標Ａにおける時系列データの挙動の一例を示す図であり、図６（ｂ）はその周波数成分の一例を示す図である。
【図７】図７（ａ）は他の経済指標Ｂにおける時系列データの挙動の一例を示す図であり、図７（ｂ）はその周波数成分の一例を示す図である。
【図８】分析対象の経済指標Ａと他の経済指標Ｂとの位相比較過程の一例を説明するための説明図である。
【図９】提示装置本体２０の動作の一例を示すフローチャートである。
【図１０】ステップＳ１００における提示装置本体２０の詳細な動作の一例を示すフローチャートである。
【図１１】ステップＳ２００における提示装置本体２０の詳細な動作の一例を示すフローチャートである。
【図１２】ステップＳ３００における提示装置本体２０の詳細な動作の一例を示すフローチャートである。
【図１３】図１３（ａ）は経済指標Ａにおける周波数成分の他の例を示す図であり、図１３（ｂ）は他の経済指標Ｂにおける周波数成分の他の例を示す図である。
【図１４】図１４（ａ）から図１４（ｃ）は、経済指標Ａと他の経済指標Ｂとの位相を比較する他の形態を説明するための説明図である。
【符号の説明】
【００７２】
１０  アナリストレポート提示装置
２０  提示装置本体
２２  入力装置
２４  表示装置
２６  記録媒体
２０２  注目区間入力部
２０４  類似区間検出部
２０６  時系列データ格納部
２０８  レポート格納部
２１０  レポート出力部
３００  波形表示領域
３０２  入力欄
３０４  入力欄
３０６  入力欄
３１０  照合実行ボタン
３０８１〜３０８６  ラジオボタン
【図１】
2005284829.tif 000003
【図２】
2005284829.tif 000004
【図３】
2005284829.tif 000005
【図４】
2005284829.tif 000006
【図５】
2005284829.tif 000007
【図６】
2005284829.tif 000008
【図７】
2005284829.tif 000009
【図８】
2005284829.tif 000010
【図９】
2005284829.tif 000011
【図１０】
2005284829.tif 000012
【図１１】
2005284829.tif 000013
【図１２】
2005284829.tif 000014
【図１３】
2005284829.tif 000015
【図１４】
2005284829.tif 000016